(57)【要約】【課題】ガスコンロでコンロバーナの外側に流れ落ちた煮こぼれ汁がコンロ本体内に浸入することを抑制する。【解決手段】コンロ本体の上面を覆う天板３に設けられた開口部から内炎式のコンロバーナ５の上部を突出させて、コンロバーナ５と天板３との間を覆うバーナリング１５を設置する。また、コンロバーナ５には、上部の外縁から径方向の外側に張り出した庇部１１ｄを、バーナリング１５の上方に重なりを有すると共に、バーナリング１５との間に上下の隙間を有するように設けておく。そして、バーナリング１５には、上面に径方向の内側から外側に向かって下る傾斜面１５ａを設けると共に、その傾斜面１５ａのうち庇部１１ｄと対向する部分の内周寄りの位置に上方に突出した環状の突条１５ｂを設ける。【選択図】図４
2019143902.tif 000002
【特許請求の範囲】
【請求項１】
環状に形成されて内周に複数の炎口を有する内炎式のコンロバーナを搭載して、コンロ本体の上面を覆う天板に設けられた開口部から前記コンロバーナの上部が突出しており、前記コンロバーナと前記天板との間を覆う環状のバーナリングが設置されたガスコンロにおいて、
前記コンロバーナには、上部の外縁から径方向の外側に張り出した庇部が、前記バーナリングの上方に重なりを有すると共に、該バーナリングとの間に上下の隙間を有して設けられており、
前記バーナリングは、上面に径方向の内側から外側に向かって下る傾斜面を有すると共に、該傾斜面のうち前記庇部と対向する部分の内周寄りの位置に上方に突出した環状の突条を備える
ことを特徴とするガスコンロ。
【請求項２】
請求項１に記載のガスコンロにおいて、
前記庇部は、径方向の内側から外側に向けて下方に傾斜しており、
前記突条の上端は、前記庇部の外縁の下端よりも上方に位置している
ことを特徴とするガスコンロ。
【請求項３】
請求項２に記載のガスコンロにおいて、
前記バーナリングの前記傾斜面の傾きは、前記庇部の下面の傾斜に比べてなだらかに形成されている
ことを特徴とするガスコンロ。
【請求項４】
請求項１ないし請求項３の何れか一項に記載のガスコンロにおいて、
前記庇部は、外縁に沿って下方に垂設された環状の垂下壁を備える
ことを特徴とするガスコンロ。
【発明の詳細な説明】
【技術分野】
【０００１】
本発明は、コンロ本体の上面を覆う天板に設けられた開口部からコンロバーナの上部を突出させたガスコンロに関する。
【背景技術】
【０００２】
ガスコンロでは、コンロ本体の上面を覆う天板に開口部を設けて、この開口部からコンロバーナの上部を突出させた構造が普及している。コンロバーナには燃料ガスと空気との混合ガスが供給され、混合ガスをコンロバーナで燃焼させることにより、コンロバーナの上方に置かれた鍋などの調理容器を加熱する。こうしたガスコンロでは、調理容器から煮こぼれた際に、煮こぼれ汁がコンロバーナと天板との間からコンロ本体内に浸入してしまうため、コンロバーナを囲む環状のバーナリングを設置して、コンロバーナと天板との間を覆うことが提案されている（例えば、特許文献１）。
【先行技術文献】
【特許文献】
【０００３】
【特許文献１】特開２０１３−４０７４１号公報
【発明の概要】
【発明が解決しようとする課題】
【０００４】
しかし、上記のようにバーナリングを設置しても、バーナリングの内周とコンロバーナとの間には隙間があり、特に、コンロバーナまたはバーナリングを着脱可能にすると隙間が大きくなる傾向にあるため、この隙間から依然として煮こぼれ汁がコンロ本体内に浸入し得るという問題があった。
【０００５】
この発明は、従来の技術が有する上述した課題に対応してなされたものであり、コンロバーナの外側に流れ落ちた煮こぼれ汁がコンロ本体内に浸入することを抑制可能なガスコンロの提供を目的とする。
【課題を解決するための手段】
【０００６】
上述した課題を解決するために、本発明のガスコンロは次の構成を採用した。すなわち、
環状に形成されて内周に複数の炎口を有する内炎式のコンロバーナを搭載して、コンロ本体の上面を覆う天板に設けられた開口部から前記コンロバーナの上部が突出しており、前記コンロバーナと前記天板との間を覆う環状のバーナリングが設置されたガスコンロにおいて、
前記コンロバーナには、上部の外縁から径方向の外側に張り出した庇部が、前記バーナリングの上方に重なりを有すると共に、該バーナリングとの間に上下の隙間を有して設けられており、
前記バーナリングは、上面に径方向の内側から外側に向かって下る傾斜面を有すると共に、該傾斜面のうち前記庇部と対向する部分の内周寄りの位置に上方に突出した環状の突条を備える
ことを特徴とする。
【０００７】
このような本発明のガスコンロでは、突条を設けるためにバーナリングの傾斜面の傾きを、突条を設けない場合に比べて緩やかにしており、その結果、庇部の下面とバーナリングの傾斜面との間の空間（以下、重なり空間）の体積を大きく確保することができる。そして、バーナリングにかかった煮こぼれ汁が庇部とバーナリングとの隙間に勢いよく入り込んだとしても、重なり空間に貯留されることで勢いが弱められると共に、突条で塞き止められるので、バーナリングとコンロバーナとの隙間からコンロ本体内に煮こぼれ汁が浸入することを抑制することができる。
【０００８】
また、重なり空間に一旦貯留された煮こぼれ汁は、勢いが止まると、バーナリングの傾斜面に沿って排出されるので、重なり空間に煮こぼれ汁が残ったままになることはなく、煮こぼれ汁による庇部とバーナリングとの固着を防ぐことができる。
【０００９】
上述した本発明のガスコンロでは、庇部を径方向の内側から外側に向けて下方に傾斜させることとして、突条の上端を庇部の外縁の下端よりも上方に位置させてもよい。
【００１０】
このようにすれば、煮こぼれ汁が庇部とバーナリングとの隙間に入り込む入口よりも突条が高くなっていることから、入口から煮こぼれ汁が入り込んだとしても突条を乗り越え難く、コンロ本体内への煮こぼれ汁の浸入を抑制することができる。
【００１１】
また、上述した本発明のガスコンロでは、バーナリングの傾斜面の傾きを、庇部の下面の傾斜に比べてなだらかに形成しておいてもよい。
【００１２】
このようにすれば、径方向の外側から内側に向けて重なり空間の高さ（庇部の下面とバーナリングの傾斜面との間隔）が広がることから、煮こぼれ汁が庇部とバーナリングとの隙間に入り込む入口を広げることなく、重なり空間の体積を大きくして煮こぼれ汁の貯留量を多く確保することができる。また、庇部の下面とバーナリングの傾斜面との間隔が径方向の外側から内側に向かって広がることにより、毛細管現象で煮こぼれ汁がバーナリングの内周側（コンロバーナ側）へと入り込もうとする作用を弱めることができる。
【００１３】
また、こうした本発明のガスコンロにおける庇部は、外縁に沿って下方に垂設された環状の垂下壁を備えていてもよい。
【００１４】
このように庇部に垂下壁を設ければ、重なり空間の体積を確保しながら、煮こぼれ汁が庇部とバーナリングとの隙間に入り込む入口を狭くして煮こぼれ汁の流入量を少なくすることができるので、コンロ本体内への煮こぼれ汁の浸入を更に抑制することが可能となる。
【図面の簡単な説明】
【００１５】
【図１】本実施例のガスコンロ１の外観を示した斜視図である。
【図２】本実施例のコンロバーナ５の上部を分解した状態を示した斜視図である。
【図３】本実施例のコンロバーナ５の構造を示した縦断面図である。
【図４】本実施例のガスコンロ１で、バーナヘッド１１の庇部１１ｄおよびバーナリング１５を拡大して示した縦断面図である。
【図５】突条１５ｂを設けないバーナリング１５の例を拡大して示した縦断面図である。
【図６】変形例のガスコンロ１で、バーナヘッド１１の庇部１１ｄおよびバーナリング１５を拡大して示した縦断面図である。
【発明を実施するための形態】
【００１６】
図１は、本実施例のガスコンロ１の外観を示した斜視図である。本実施例のガスコンロ１は、上面側が開放された薄い箱形状のコンロ本体２と、コンロ本体２の上面を覆って設置された天板３とを備えている。また、例示したガスコンロ１は、燃料ガスを燃焼させるコンロバーナ５が左右に並べて２つ設けられており、詳しくは後述するが、天板３に設けられた開口部からコンロバーナ５の上部が突出している。
【００１７】
また、天板３上には、コンロバーナ５の上方に鍋などの調理容器を置くための五徳６がコンロバーナ５を囲んで設置されていると共に、２つのコンロバーナ５の各々に対応して、使用者が点火時や消火時、あるいは火力調節時などに操作する操作ツマミ７が設けられている。
【００１８】
図２は、本実施例のコンロバーナ５を分解した状態を示した斜視図である。尚、図２では、五徳６の図示を省略している。前述したように天板３には開口部３ａが設けられており、この開口部３ａから上部を突出させた状態で設置される本実施例のコンロバーナ５は、バーナボディ１０およびバーナヘッド１１を着脱可能に備えている。バーナボディ１０は、環状に形成されており、内縁部分から上方に向けて内周壁１０ａが立設されていると共に、外縁部分から上方に向けて外周壁１０ｂが立設されている。この内周壁１０ａと外周壁１０ｂとの間に、後述のように燃料ガスと一次空気との混合ガスが供給される環状の混合室１０ｃが形成され、バーナボディ１０（混合室１０ｃ）の底面には、混合ガスが流入する流入口１０ｄが開口している。
【００１９】
バーナヘッド１１は、環状に形成されており、バーナボディ１０に載置されて混合室１０ｃの開放された上面側を覆うようになっている。バーナヘッド１１には、内縁部分から下方に向けて環状の炎口壁１１ａが垂設されており、バーナヘッド１１をバーナボディ１０に載置すると、炎口壁１１ａの下面がバーナボディ１０の内周壁１０ａの上面に当接する。そして、炎口壁１１ａの下面には、複数の溝１１ｂがバーナヘッド１１の中央に対して放射状に形成されている。
【００２０】
さらに、本実施例のガスコンロ１は、バーナボディ１０を天板３の開口部３ａの内側に設置した状態で、バーナボディ１０と天板３との間を覆う環状のバーナリング１５を備えている。このバーナリング１５は、内径がバーナボディ１０の外径よりも大きく、外径が天板３の開口部３ａの口径よりも大きくなっている。
【００２１】
図３は、本実施例のコンロバーナ５の構造を示した縦断面図である。前述したように本実施例のバーナボディ１０は、天板３の開口部３ａの内側に設置され、コンロ本体２内に設置された混合管１３と接合される。混合管１３には、バーナボディ１０の流入口１０ｄに連結される連結部１３ａが設けられており、燃料ガスを供給するガス通路２０に接続されたノズル２１から混合管１３の開口端１３ｂに燃料ガスが噴射されると、一次空気を吸い込みながら混合管１３に流入し、混合管１３を通過する燃料ガスと一次空気とが混合されて、連結部１３ａおよび流入口１０ｄを介して混合室１０ｃに混合ガスが供給される。尚、本実施例のバーナボディ１０は、混合管１３の連結部１３ａと図示しない支柱とで支えられている。
【００２２】
バーナヘッド１１をバーナボディ１０に載置する際には、バーナヘッド１１の外周をバーナボディ１０の外周壁１０ｂの内側に嵌め合わせた状態で、バーナヘッド１１の炎口壁１１ａの下面をバーナボディ１０の内周壁１０ａの上面に当接させる。こうしてバーナヘッド１１をバーナボディ１０に載置すると、混合室１０ｃの上面側が覆われると共に、炎口壁１１ａの下面に形成された複数の溝１１ｂと内周壁１０ａの上面とによって、混合室１０ｃに連通してバーナヘッド１１の内周に開口する複数の炎口１２が形成される。混合室１０ｃに供給された混合ガスは、複数の炎口１２から噴出し、図示しない点火プラグで火花を飛ばすと混合ガスの燃焼が開始される。本実施例のコンロバーナ５は、こうして内周に内向きの火炎が形成される内炎式バーナであり、五徳６上の調理容器を加熱する。
【００２３】
コンロ本体２内には、バーナボディ１０の下方に薄い皿状の汁受け皿１４が設けられており、図示しない支持部材で支持されている。汁受け皿１４の外径は、バーナヘッド１１やバーナボディ１０の内径よりも大きくなっており、五徳６上の調理容器から煮こぼれた際に、コンロバーナ５の内周側に流れ落ちた煮こぼれ汁が汁受け皿１４に溜まるようになっている。汁受け皿１４に溜まった煮こぼれ汁は、バーナヘッド１１の内側に手を入れたり、バーナヘッド１１およびバーナボディ１０を取り外したりして拭き取ることが可能である。
【００２４】
また、コンロバーナ５の外側に流れ落ちた煮こぼれ汁がバーナボディ１０と天板３との間からコンロ本体２内に浸入しないように、バーナボディ１０を囲む環状のバーナリング１５を設置して、バーナボディ１０と天板３との間を覆っている。本実施例のバーナリング１５は、外縁側を天板３の上面に重ねた状態で、図示しない固定部材で天板３に固定されており、上面が径方向の内側から外側に向けて下方に傾斜している。そのため、バーナリング１５にかかった煮こぼれ汁は、上面の傾斜に沿って天板３上へと流れる。尚、バーナリング１５を天板３に対して着脱可能にしておいてもよい。
【００２５】
ただし、バーナリング１５を設置しても、バーナボディ１０を着脱可能とした本実施例のガスコンロ１では、バーナリング１５の内周とバーナボディ１０との間に寸法公差による隙間が生じる。そこで、本実施例のバーナヘッド１１には、上部の外縁から径方向の外側に張り出した庇部１１ｄが設けられている。この庇部１１ｄは、径方向の内側から外側に向けて下方に傾斜していると共に、バーナリング１５の上方に重なりを有しており、バーナリング１５とバーナボディ１０との隙間の上方を覆っている。これにより、煮こぼれ汁が直接的にバーナボディ１０にかかることはなく、バーナヘッド１１の庇部１１ｄにかかった煮こぼれ汁は、バーナリング１５上へと流れて、さらに天板３上へと流れる。
【００２６】
このように庇部１１ｄが設けられた本実施例のバーナヘッド１１では、前述した炎口１２を形成する上で、炎口壁１１ａの下面をバーナボディ１０の内周壁１０ａの上面に確実に当接させる必要があるため、バーナヘッド１１を設置した状態で庇部１１ｄがバーナリング１５に接する（載置される）ことがないように、庇部１１ｄとバーナリング１５との間に上下の隙間が設けられる。そして、こうした庇部１１ｄとバーナリング１５との隙間に入り込んだ煮こぼれ汁がコンロ本体２内に浸入することを抑制するために、本実施例のガスコンロ１では、以下のような構成を採用している。
【００２７】
図４は、本実施例のガスコンロ１で、バーナヘッド１１の庇部１１ｄおよびバーナリング１５を拡大して示した縦断面図である。図示されるようにバーナヘッド１１の庇部１１ｄは、外径がバーナリング１５の内径よりも大きくなっており、バーナリング１５の内縁側の上方に重なる部分を有している。また、バーナリング１５の上面は、径方向の内側から外側に向かって下る傾斜面１５ａになっており、本実施例の傾斜面１５ａの傾きは庇部１１ｄの下面の傾斜に比べてなだらかになっている。前述したように庇部１１ｄとバーナリング１５とは、間に上下の隙間が設けられており、接しないようになっている。
【００２８】
そして、本実施例のバーナリング１５には、内縁に沿って上方に突出した環状の突条１５ｂが設けられている。この突条１５ｂは、庇部１１ｄとの間に隙間が設けられており、庇部１１ｄの下面に接することはない。加えて、突条１５ｂの上端は、庇部１１ｄの外縁の下端よりも上方に位置している。
【００２９】
ここで、庇部１１ｄとバーナリング１５との隙間に入り込んだ煮こぼれ汁がコンロ本体２内に浸入することを抑制するために、本実施例のようにバーナリング１５に突条１５ｂを設けるのではなく、図５に示されるようにバーナリング１５の上面（傾斜面１５ａ）の傾きを急峻にしておくことが一般的に考えられる。ただし、バーナリング１５にかかった煮こぼれ汁が庇部１１ｄとバーナリング１５との隙間に勢いよく入り込むと、急峻な傾斜面１５ａでも乗り越えて煮こぼれ汁がバーナリング１５とバーナボディ１０との隙間からコンロ本体２内に浸入してしまうことがある。また、庇部１１ｄの下面とバーナリング１５の傾斜面１５ａとの間隔が狭くなると、毛細管現象によって煮こぼれ汁がバーナリング１５の内周側（バーナボディ１０側）へと入り込もうとする。
【００３０】
これに対して、本実施例のガスコンロ１では、図４のようにバーナリング１５に突条１５ｂを設けるために傾斜面１５ａの傾きを、図５の突条１５ｂを設けない例に比べて緩やかにしており、これにより、庇部１１ｄの下面とバーナリング１５の傾斜面１５ａとの間の空間（以下、重なり空間Ｓ）の体積を大きく確保することができる。そして、庇部１１ｄとバーナリング１５との隙間に勢いよく入り込んだ煮こぼれ汁は、この重なり空間Ｓに貯留されることで勢いが弱められると共に、突条１５ｂで塞き止められるので、バーナリング１５とバーナボディ１０との隙間からコンロ本体２内に煮こぼれ汁が浸入することを抑制することができる。しかも、庇部１１ｄの下面とバーナリング１５の傾斜面１５ａとの間隔を広く確保できるので、毛細管現象による煮こぼれ汁の入り込みを抑制することが可能となる。
【００３１】
また、重なり空間Ｓに一旦貯留された煮こぼれ汁は、勢いが止まると、バーナリング１５の傾斜面１５ａに沿って天板３上へと排出されるので、重なり空間Ｓに煮こぼれ汁が残ったままになることはなく、煮こぼれ汁による庇部１１ｄとバーナリング１５との固着を防ぐことができる。
【００３２】
また、突条１５ｂの上端は、庇部１１ｄの外縁の下端よりも上方に位置しており、煮こぼれ汁が庇部１１ｄとバーナリング１５との隙間に入り込む入口よりも突条１５ｂが高くなっていることから、入口から煮こぼれ汁が入り込んだとしても突条１５ｂを乗り越え難く、コンロ本体２内への煮こぼれ汁の浸入を抑制することができる。
【００３３】
さらに、本実施例のガスコンロ１では、バーナリング１５の傾斜面１５ａの傾きが庇部１１ｄの下面の傾斜に比べてなだらかになっており、重なり空間Ｓは径方向の外側から内側に向けて高さ（庇部１１ｄの下面とバーナリング１５の傾斜面１５ａとの間隔）が広がっている。これにより、煮こぼれ汁が庇部１１ｄとバーナリング１５との隙間に入り込む入口を広げることなく、重なり空間Ｓの体積を大きくして煮こぼれ汁の貯留量を多く確保することができる。また、庇部１１ｄの下面とバーナリング１５の傾斜面１５ａとの間隔が径方向の外側から内側に向かって広がることにより、毛細管現象で煮こぼれ汁がバーナリング１５の内周側に入り込もうとする作用を弱めることができる。
【００３４】
上述した本実施例のガスコンロ１には、次のような変形例も存在する。以下では、上述の実施例とは異なる点を中心に変形例について説明する。尚、変形例の説明では、上述の実施例と同様の構成については同じ符号を付して説明を省略する。
【００３５】
図６は、変形例のガスコンロ１で、バーナヘッド１１の庇部１１ｄおよびバーナリング１５を拡大して示した縦断面図である。前述した実施例と同様に、変形例のバーナリング１５にも突条１５ｂが設けられている。そして、変形例のバーナヘッド１１の庇部１１ｄは、外縁に沿って下方に垂設された環状の垂下壁１１ｅを備えている。この垂下壁１１ｅは、バーナリング１５との間に隙間が設けられており、バーナリング１５の上面（傾斜面１５ａ）に接することはない。
【００３６】
このような変形例のガスコンロ１では、庇部１１ｄに垂下壁１１ｅを設けることにより、重なり空間Ｓの体積を確保しながら、煮こぼれ汁が庇部１１ｄとバーナリング１５との隙間に入り込む入口を狭くして煮こぼれ汁の流入量を少なくすることができるので、コンロ本体２内への煮こぼれ汁の浸入を更に抑制することが可能となる。
【００３７】
以上、本実施例および変形例のガスコンロ１について説明したが、本発明は上記の実施例および変形例に限られるものではなく、その要旨を逸脱しない範囲において種々の態様で実施することが可能である。
【００３８】
例えば、前述した実施例では、バーナリング１５の傾斜面１５ａの傾きが、庇部１１ｄの下面の傾斜に比べてなだらかになっていたが、これに限られず、庇部１１ｄの下面の傾斜と平行であってもよいし、庇部１１ｄの下面の傾斜よりも僅かに急になっていてもよい。これらの場合でも、前述した変形例のように庇部１１ｄに垂下壁１１ｅを設けることにより、煮こぼれ汁が庇部１１ｄとバーナリング１５との隙間に入り込む入口を狭くして煮こぼれ汁の流入量を少なくすることができる。また、庇部１１ｄの下面の傾斜は、庇部１１ｄの上面の傾斜と必ずしも平行でなければならないわけではなく、上面の傾斜と異なっていてもよい。
【００３９】
また、前述した実施例では、バーナリング１５の突条１５ｂの上端が、庇部１１ｄの外縁の下端よりも上方に位置していたが、これに限られず、庇部１１ｄの外縁の下端と同じ高さに位置していてもよいし、庇部１１ｄの外縁の下端よりも僅かに下方に位置していてもよい。
【００４０】
また、前述した実施例では、図４に示されるように突条１５ｂがバーナリング１５の内縁から立設され、突条１５ｂの内周面とバーナリング１５の内周面とが面一になっていた。しかし、突条１５ｂを設ける位置は、これに限られず、傾斜面１５ａのうち庇部１１ｄと対向する部分の内周寄りの位置であればよく、例えば、突条１５ｂの径をバーナリング１５の内縁よりも僅かに大きくすることとして、突条１５ｂの内周面とバーナリング１５の内周面との間に段差があってもよい。
【００４１】
さらに、前述した実施例では、バーナリング１５の上面における傾斜面１５ａがバーナリング１５の外縁まで連続して設けられていた。しかし、バーナリング１５の傾斜面１５ａは、少なくとも庇部１１ｄと対向する部分があればよく、バーナリング１５の上面における庇部１１ｄよりも外側の部分（庇部１１ｄと対向しない部分）では略水平に形成しておいてもよい。
【符号の説明】
【００４２】
１…ガスコンロ、          ２…コンロ本体、          ３…天板、
３ａ…開口部、            ５…コンロバーナ、        ６…五徳、
７…操作ツマミ、          １０…バーナボディ、      １０ａ…内周壁、
１０ｂ…外周壁、          １０ｃ…混合室、          １０ｄ…流入口、
１１…バーナヘッド、      １１ａ…炎口壁、          １１ｂ…溝、
１１ｄ…庇部、            １１ｅ…垂下壁、          １２…炎口、
１３…混合管、            １３ａ…連結部、          １３ｂ…開口端、
１４…汁受け皿、          １５…バーナリング、      １５ａ…傾斜面、
１５ｂ…突条、            ２０…ガス通路、          ２１…ノズル、
Ｓ…重なり空間。
【図１】
2019143902.tif 000003
【図２】
2019143902.tif 000004
【図３】
2019143902.tif 000005
【図４】
2019143902.tif 000006
【図５】
2019143902.tif 000007
【図６】
2019143902.tif 000008